(57)【特許請求の範囲】
【請求項１】
帯状のペーパーを巻回したロールペーパー体を巻回軸周りに回転させる回転手段と、
前記ロールペーパー体の回転によって繰り出される前記ペーパーをペーパー排出口に向けて案内するペーパー案内路と、
前記ペーパー案内路に前記ペーパー排出口に向けた空気の流通を生じさせる空気流通手段と、
前記回転手段及び空気流通手段の稼働制御を行う制御手段と、を有し、
前記制御手段が、前記回転手段及び前記空気流通手段を共に稼働させ、前記ペーパー案内路に前記ペーパー排出口に向けた空気の流通を生じさせた状態で、前記ペーパーの繰り出しを行わせるペーパーホルダー。
【請求項２】
前記ペーパーを切断する切断手段を有する請求項１に記載のペーパーホルダー。
【請求項３】
前記制御手段は、前記回転手段によるペーパーの繰り出し量が所定量に達すると前記切断手段を作動させる請求項１又は２に記載のペーパーホルダー。
【請求項４】
繰り出されるペーパーの先端を掻いて当該先端をロールペーパー体から剥離するスクレーパを有する請求項１〜３のいずれか１項に記載のペーパーホルダー。
【請求項５】
前記ペーパー案内路のペーパー排出口側の端部と連結された受け皿を備え、
前記受け皿のペーパー排出方向先端に、前記ペーパーの進行を阻止する返しを有し、当該返しよりペーパー排出方向後方に、前記受け皿の前記ペーパーを受ける面から突出させた弛み形成部を有し、
前記弛み形成部が、前記繰り出しにより、前記弛み形成部を乗り越えて進行する前記ペーパーを前記返しとの間で弛ませる請求項１〜４のいずれか１項に記載のペーパーホルダー。
【請求項６】
前記回転手段は、ロールペーパー体の両端をそれぞれ支持し、当該ロールペーパー体の一端側にはロールペーパー体回転のための駆動部が設置され、他端にはロールペーパー体に対して抜き差しを行う抜き差し部が設置された請求項１〜５のいずれか１項に記載のペーパーホルダー。
【請求項７】
前記制御手段は、前記回転手段によりロールペーパー体が所定数回転されると、前記駆動部を停止し、前記抜き差し部によるロールペーパー体への差しを解除する請求項６に記載のペーパーホルダー。
【請求項８】
請求項４〜７のいずれか１項に記載のペーパーホルダーに使用されるロールペーパー体であって、繰り出し前のペーパーの先端が折り返されるか又は反らされたロールペーパー体。
【発明の詳細な説明】
【技術分野】
【０００１】
本発明は、ペーパーホルダーに関し、特にはトイレットペーパーホルダーに関する。
【背景技術】
【０００２】
従来のトイレットペーパーホルダーでは、ホルダーにセットしたトイレットロールペーパー（以下「トイレットペーパー」という。また、トイレットペーパーを構成するペーパー自体を単にペーパーということにする。）のペーパーをトイレットペーパーホルダーから引き出して適宜の長さで切断するには、まず片手もしくは両手で必要な分引き出し、次に片手でペーパーを持った状態で、空いた手でトイレットペーパーが回転しないようにトイレットペーパーをホルダーの上部カバー越しに上から押さえつけ、さらにペーパーを持った手でペーパーを上部カバー先端部のエッジに宛がい千切るように切断する。つまり、トイレの利用者は、両手を使っての作業を必要とする。
【０００３】
両手を使うとなると、片手が自由に使えない身障者や、例えば、ドレスや着物などを着用し、それらの服に気を使って片手が塞がってしまう女性などが苦労する。
また、使用者はトイレットペーパーホルダーに手指等を接触しなければならず、使用者の中には非衛生的に感じる者もいることが想定される。
【０００４】
さらに、トイレの使用者の中には、ペーパーを必要以上に繰り出して使用する者がおり、無駄がある。
加えて、ペーパーを千切った場合、千切った時に破片が飛散する場合があり、トイレの掃除が面倒である。
さらには、パブリックトイレの利用者の中には、露出されたトイレットペーパーをタバコの火やライターの火で焦がす者もおり、施設管理者にとってはメンテナンスの点で苦慮しているという現状がある。
さらにまた、パブリックトイレの利用者の中には、露出されたトイレットペーパーに水などをかける者もおり、次の利用者が使えない状態にして利用者や施設管理者に迷惑をかけている現状があった。
【先行技術文献】
【特許文献】
【０００５】
【特許文献１】特開２００４−６５６０４号公報
【発明の概要】
【発明が解決しようとする課題】
【０００６】
本発明は、上記事情に鑑みて発明されたものであって、その解決しようとする課題は、少なくとも、トイレなどを使用する者が、ペーパーに全く触れることなく、適宜の厚みにまで折り重ねられたペーパーを使用者に対し自動的に用意できる技術を提供することにある。
【課題を解決するための手段】
【０００７】
そこで本発明のペーパーホルダーは、上記課題を解決するために以下の手段を採用した。
すなわち、本発明のペーパーホルダーは、帯状のペーパーを巻回したロールペーパー体を巻回軸周りに回転させる回転手段と、繰り出されるペーパーの先端をペーパー排出口に向けて案内するペーパー案内路と、このペーパー案内路に空気の流通を生じさせる空気流通手段と、前記回転手段及び空気流通手段の稼働制御を行う制御手段と、を有することを
特徴とする。
【０００８】
本発明によれば、回転手段によりロールペーパー体が回転する。また、繰り出されるペーパーの先端が自由端であれば、巻回されているペーパーがほどけ易くなる。そして、ペーパー案内路に案内されたペーパーは、空気流通手段によって生じる空気の流れによりペーパー排出口に向けて移送され易くなる。
【０００９】
これらの制御は制御手段によって実行される。したがって、使用者は、ペーパーを引き出すのに全くペーパーホルダーに触れることがない。
【００１０】
前記ペーパーを切断する切断手段を有すると好適である。
【００１１】
前記制御手段は、前記回転手段によるペーパーの繰り出し量が所定量に達すると前記切断手段を作動させるようになっていることが望ましい。
【００１２】
繰り出されるペーパーの先端を掻いて当該先端をロールペーパー体から剥離するスクレーパを有するようにすることもできる。
【００１３】
繰り出されるペーパーの前方への進行を阻止すると共に後方への進行も阻止し、少なくとも後方にてペーパーに弛み部を形成する弛み形成部を有するとよい。
【００１４】
前記回転手段は、ロールペーパー体の両端をそれぞれ支持し、当該ロールペーパー体の一端側にはロールペーパー体の回転のための駆動部が設置され、他端にはロールペーパー体に対して抜き差しを行う抜き差し部が設置されるようにすることもできる。
【００１５】
前記制御手段は、前記回転手段によりロールペーパー体が所定数回転されると、前記駆動部を停止し、前記抜き差し部によるロールペーパー体への差しを解除することも可能である。
【００１６】
また、本発明は上記ペーパーホルダーに使用されるロールペーパーでもある。その特徴は、繰り出されるペーパーの先端が折り返されるか又は反らされたことにある。
【発明の効果】
【００１７】
本発明のペーパーホルダーによれば、ペーパーホルダーに全く触れることがないので衛生的である。
【図面の簡単な説明】
【００１８】
【図１】本発明に係るペーパーホルダーをトイレに取り付けた状態を示す斜視図である。
【図２】本発明に係るペーパーホルダーの覆面カバー体を取り外した状態の斜視図である。
【図３】図２の正面側から見た図である。
【図４】図３の一部切り欠き正面図である。
【図５】図２の一部省略縦断面図である。
【図６】図５の要部拡大図である。
【図７】トイレットペーパーの交換動作を説明するための図であり、直近で使用されていたトイレットペーパーが使用済みになった直後の状態を示す正面図と縦断面図とを並列して示す図である。
【図８】図７の斜視図である。
【図９】図７に連続する図でトイレットペーパーを使い切った直後に使用ロールペーパー固定用ソレノイドが作動し始めた状態を正面図と縦断面図とで並列して示す図である。
【図１０】図９に連続する図で芯収納ボックスにトイレットペーパーの芯が落下している状態を正面図と縦断面図とで並列して示す図である。
【図１１】図１０に連続する図で芯収納ボックスにトイレットペーパーの芯が収納され、それに合わせて予備ロールペーパーが使用ロールペーパーとして供給される直前の状態を正面図と縦断面図とで並列して示す図である。
【図１２】図１１の斜視図である。
【図１３】図１１に連続する図で予備ロールペーパーが使用ロールペーパーとして供給された直後の状態を正面図と縦断面図とで並列して示す図である。
【図１４】図１３に連続する図で上段に位置する予備ロールペーパーが下段の予備ロールペーパーとして供給された直後の状態を正面図と縦断面図とで並列して示す図である。
【図１５】図１４の斜視図である。
【図１６】トイレットペーパーの繰り出し状態を示す最初の図であって、ペーパーの先端部分にスクレーパが掛かっている状態を示す図である。
【図１７】図１６に連続する図であって、ペーパーが繰り出される初期段階を示す図である。
【図１８】図１７に連続する図であって、ペーパーが、ペーパー切断カッターに至る直前状態を示す図である。
【図１９】図１８に連続する図であって、ペーパーが、ペーパー切断カッターを通過し、ペーパー受け皿にペーパーが送り出される手前の状態を示す図である。
【図２０】図１９に連続する図であって、ペーパー受け皿にペーパーが送り出されペーパーの先端がペーパー受け皿の先端に接触した状態を示す図である。
【図２１】図２０に連続する図であって、ペーパー受け皿にペーパーが送り出された後、ペーパー受け皿上でペーパーが折り畳まれる直前の状態を示す図である。
【図２２】図２１に連続する図であって、ペーパーが、ペーパー受け皿上で折り畳まれる初期状態を示す図である。
【図２３】図２２に連続する図であって、ペーパーが、ペーパー受け皿上で折り畳まれる中途状態を示す図である。
【図２４】図２３に連続する図であって、ペーパーが、ペーパー受け皿上で一回折り畳まれ、折り返しを繰り返す図である。
【図２５】図２４に連続する図であって、所定回数の折り返しを繰り返した後、ペーパー切断カッターにより、ペーパーが切断される状態を示す図である。
【図２６】ペーパー受け皿の斜視図である。
【図２７】本発明のロールペーパー体の斜視図である。
【図２８】制御装置によって制御される部材のシステム構成図である。
【図２９】トイレットペーパーの繰り出し量の変化を示すフローチャートである。
【発明を実施するための形態】
【００１９】
以下、この発明を実施するための形態（以下、実施形態）を実施例に基づいて例示的に説明する。但し、この実施例に記載されている構成部品の寸法、材質、形状その相対配置などは、特に特定的に記載がない限りは、この発明の範囲をそれらに限定する趣旨ではない。
【００２０】
図１は、本発明のペーパーホルダーをトイレットペーパーホルダー１としてトイレに設置したものである。トイレットペーパーホルダー１は、その外形状が、上下方向に長い直方体の両端面を流線型にカットした如き変形直方体形状をしている。
【００２１】
この明細書で上下とは、図１に正対した場合の上側及び下側をいい、同じく左右とは、
図１に正対した場合の左側及び右側をいう。また、前後とは、図１に正対した場合の手前側及び向こう側をいう。
【００２２】
また、トイレットペーパーホルダー１は、長方形状をしたベース板２と、このベース板２に載置されたトイレットペーパーホルダー本体３（以下、ホルダー本体３という。）と、所定量のペーパーが重なり合って（折り畳まれて）排出されるペーパー受け皿４と、ペーパー受け皿４以外を覆う例えば金属製の覆面カバー体５とからなる。覆面カバー体５が流線型を呈しているともいえる。覆面カバー体５はホルダー本体３に対して施錠されるようになっており、作業者だけが開閉できる。
【００２３】
ベース板２は、抗菌加工された金属又は合成樹脂を加工した板材で、トイレの壁面に図示しない螺合手段や係合手段などで固定される。
ホルダー本体３は、図示しない着脱手段によってベース板２に取り付けられる本体カバー７（図３参照）を有し、当該本体カバー７に対し、ホルダー本体３を構成する各種部材が組み込まれる。
【００２４】
本体カバー７は、上方に開口した間仕切りのない中空四角柱形状をしている。そして、その上半部が予備のトイレットペーパー（以下、「予備ロールペーパーＴｓ」という。）が収納される予備ロールペーパー収納域Ｉとされ、予備ロールペーパー収納域Ｉの直下には、使用可能状態に置かれているトイレットペーパー（以下、「使用ロールペーパーＴｕ」という。）を受ける使用ロールペーパー収納域ＩＩとされている。また、使用ロールペーパー収納域ＩＩの直下は、使用済みのトイレットペーパーの芯８を収集する有底の芯収納ボックス９とされている。
【００２５】
すなわち、予備ロールペーパー収納域Ｉと、使用ロールペーパー収納域ＩＩと、芯収納ボックス９とが鉛直方向に延びる同一軸線上に配列されている。
【００２６】
そして、予備ロールペーパー収納域Ｉと使用ロールペーパー収納域ＩＩに収納されるトイレットペーパーも、上記同一軸（巻回軸）線上に配置される。
【００２７】
これら各域に分散されて、トイレ使用者が、トイレットペーパーホルダー１やトイレットペーパーに全く触れることなく、トイレ使用者に適宜の厚みにまで折り重ねられた状態のペーパーを自動的に用意できるようにするための各種機構が設置されている。
【００２８】
本体カバー７のうち、予備ロールペーパー収納域Ｉは、トイレットペーパーを横倒し状態で３個分、上下に積み重ねて最上位のトイレットペーパーが幾分はみ出す程度に収納できる容量を有する。予備ロールペーパーＴｓは、本体カバー７の前記開口からトイレ作業者により供給される。なお、予備ロールペーパーＴｓを予備ロールペーパー収納域Ｉに収納するときの向きは一定であり、当該収納をしたときに予備ロールペーパーＴｓの先端が後方にある状態において、当該先端が下向きの状態で収納する。
【００２９】
また、予備ロールペーパー収納域Ｉに予備ロールペーパーＴｓを横にして入れると、重力により予備ロールペーパーＴｓが自然落下するように、本体カバー７の寸法が設定されている。
【００３０】
また、予備ロールペーパー収納域Ｉの左右の側壁１１Ｌ・１１Ｒ（図３参照）には、予備ロールペーパー収納域Ｉに収納された３個の横倒しにされた予備ロールペーパーＴｓのうち、下から一番目と二番目の予備ロールペーパーＴｓの重力による落下を抑制する落下抑制手段が設けられている。落下抑制手段として具体的には、予備ロールペーパー繰出し用ソレノイド１０を挙げられる。
【００３１】
予備ロールペーパー繰出し用ソレノイド１０は、使用ロールペーパー収納域ＩＩに予備ロールペーパーＴｓが移送されて使用ロールペーパーＴｕになるまでの間、予備ロールペーパー収納域Ｉに予備ロールペーパーＴｓを一時的に留めておくためのものである。
【００３２】
そして、予備ロールペーパー繰出し用ソレノイド１０の作動中において、予備ロールペーパー収納域Ｉでの予備ロールペーパーＴｓの落下を抑制する。また、予備ロールペーパー繰出し用ソレノイド１０は、ホルダー本体３の左右の側壁１１Ｌ・１１Ｒにそれぞれ上下方向に離れて二つずつ合計４個取り付けられている（図２、３参照）。左右方向では水平軸上に、また上下方向では、垂直軸上にそれぞれトイレットペーパーを１個横倒しにした分だけ離隔された状態で配置されている（図２参照）。
【００３３】
予備ロールペーパー収納域Ｉに予備ロールペーパーＴｓを一時的に留めておく間、予備ロールペーパー繰出し用ソレノイド１０のプランジャー１２（以下、「繰出し用プランジャー」という。）が、予備ロールペーパー収納域Ｉ内に向けて突出し、予備ロールペーパーＴｓに対し、その手前側下方寄りで繰出し用プランジャー１２が当接するようになる（図２参照）。その結果、予備ロールペーパーＴｓが予備ロールペーパー収納域Ｉから落下することなく一時的に留まる。
【００３４】
繰出し用プランジャー１２を後退させると、予備ロールペーパーＴｓの自然落下による通り抜けが許可される。すると、予備ロールペーパーＴｓが、自然落下により自動的に予備ロールペーパー収納域Ｉから使用ロールペーパー収納域ＩＩに移行するようになる。
【００３５】
使用ロールペーパー収納域ＩＩは、その左側壁１１Ｌの中央に使用ロールペーパー回転用モータ１３が取り付けられている（図２、８等参照）。また、右側壁１１Ｒに使用ロールペーパー固定用ソレノイド１４が、使用ロールペーパー回転用モータ１３と同軸に設置されている。
【００３６】
さらに使用ロールペーパー収納域ＩＩには、ペーパー絡み防止用ファン１５の上半部である吹き出し口（ダクト）１６、及び使用ロールペーパーＴｕのストッパー用ローラ１７が設置されている（図２、８等参照）。加えて、使用ロールペーパー収納域ＩＩ内には、使用ロールペーパー収納域ＩＩから繰り出された使用ロールペーパーＴｕをペーパー受け皿４に案内するペーパー案内路１８が形成されている（図２、５６等参照）。
【００３７】
使用ロールペーパー回転用モータ１３は、使用ロールペーパー収納域ＩＩに収納されている使用ロールペーパーＴｕを回転可能に支持するための回転手段であり、一定方向にのみ回転する（図２の矢印Ａ参照）。使用ロールペーパーＴｕをゆっくり回転することで、使用ロールペーパーＴｕの芯８に巻き付けられているペーパー（以下「使用ペーパー」という。）を漸次繰り出すようになっている。
【００３８】
その回転数は、制御装置２０（図１、２８参照）によって自動制御される。自動制御の仕方としては、使用ロールペーパーＴｕの使用が進行するに連れて、その直径が小さくなるため、直径が小さくなるほど、使用ロールペーパー回転用モータ１３の回転数が高くなるように設定してある。
【００３９】
例えば、トイレットペーパーを全く使用してない場合と使い切った場合とでは、トイレットペーパーはその直径で３倍ほどの差がある。このため、単純に計算すれば、使用ロールペーパーＴｕの使い始めと終わりとで、使用ロールペーパー回転用モータ１３の回転数に３倍の差を付け、途中でその中間の回転数にすることで、定常的に使用ロールペーパーＴｕの繰り出し量をほぼ一定にするこことが考えられる。
【００４０】
また、使用ロールペーパー回転用モータ１３のシャフトには、当て板２１が取り付けられており、この当て板２１は、トイレットペーパーの芯８部分に宛がわれる。芯８の穴径よりも当て板２１の外形の方が大きい。
【００４１】
使用ロールペーパー固定用ソレノイド１４は、使用ロールペーパー回転用モータ１３から、トイレットペーパーを１個横倒しにした分、離隔されている（図２，３等参照）。
【００４２】
使用ロールペーパー固定用ソレノイド１４にもそのプランジャー（以下、「固定用プランジャー１４Ａ」という。）に当て板２１が取り付けられる。なお、符号２２で示すものは、使用ロールペーパー固定用ソレノイド１４の架台である。架台２２は右側壁１１Ｒに固定されている。
【００４３】
そして、使用ロールペーパー収納域ＩＩに使用ロールペーパーＴｕを留めておく間（使用ロールペーパーＴｕを使い終わる間）、固定用プランジャー１４Ａが、使用ロールペーパー収納域ＩＩ内に向けて突出する。
【００４４】
この結果、固定用プランジャー１４Ａに取り付けられている当て板２１も突出し、使用ロールペーパーＴｕの端面のうち芯８部分に宛がわれる。当て板２１が前記端面に宛がわれることで、使用ロールペーパー回転用モータ１３の当て板２１との間で使用ロールペーパーＴｕが挟持される（図１３〜１５参照）。
【００４５】
この結果、使用ロールペーパー回転用モータ１３の回転力は、使用ロールペーパーＴｕに伝達され、使用ロールペーパーＴｕが空回りせずに回転する。
なお、この明細書では、固定用プランジャー１４Ａに取り付けられている当て板２１が突出し、使用ロールペーパーＴｕの端面のうち芯８部分に宛がわれることを、"差し"ということにする。逆に当て板２１が、使用ロールペーパーＴｕの端面のうち芯８部分に宛がわれることをやめることを、"抜き（差しの解除)"ということにする。よって、固定用プ
ランジャー１４Ａ及び当て板２１のことを抜き差し部という。
【００４６】
使用ロールペーパーＴｕを使い切り、予備ロールペーパーＴｓを使用ロールペーパー収納域ＩＩに移動させるときは、前記抜きを行って、当て板２１が、使用ロールペーパーＴｕの端面のうち芯８部分に宛がわれることをやめる。これにより、使用ロールペーパーＴｕの芯８が芯収納ボックス９内に落下する（図７〜１０参照）。
【００４７】
次に、繰出し用プランジャー１２を後退させ、予備ロールペーパーＴｓの自然落下による通り抜けを許可する（図１１〜１３参照）。その後は、予備ロールペーパーＴｓが、自然落下により自動的に使用ロールペーパー収納域ＩＩに移行する（図１４、１５参照）。
【００４８】
ペーパー絡み防止用ファン１５は、使用ロールペーパー収納域ＩＩと、芯収納ボックス９とに跨って両者の手前側に設置されている。そして、ペーパー絡み防止用ファン１５の吹き出し口１６は、ホルダー本体３の後方に向けて開口されている。
【００４９】
ストッパー用ローラ１７は、予備ロールペーパー繰出し用ソレノイド１０の前記垂直軸上に位置し（図５等参照）、ホルダー本体３の幅方向（左右方向）に延びるローラである。ストッパー用ローラ１７は、その両端から左右に突出する回転軸によりホルダー本体３の左右の側壁１１Ｌ・１１Ｒに回転自在に支持されている。そして、予備ロールペーパーＴｓが使用ロールペーパー収納域ＩＩに自然落下した際にこれを受け止める役割を主とする。
【００５０】
ストッパー用ローラ１７が使用ロールペーパーＴｕを最初に受け止めた地点で、使用ロールペーパー回転用モータ１３及び使用ロールペーパー固定用ソレノイド１４に対して、使用ロールペーパーＴｕが位置決めされる。
【００５１】
ペーパー案内路１８は、ペーパー絡み防止用ファン１５の吹き出し口１６から続いており、使用ロールペーパーＴｕの上半分の外形状に沿って形成され、かつその後ペーパー受け皿４に向けてまっすぐに伸びる扁平矩形な中空領域である。側方から見た形状は疑問符（？）に似ている（図１８参照）。但し、ペーパー案内路１８の形状は、これに限定されるものではない。実質的にペーパが案内を開始される箇所を基端とする形状であってもよい（前記まっすぐに伸びる扁平矩形な中空領域参照）。
【００５２】
ペーパー案内路１８の途中には、ペーパーカット用ソレノイド２３と、当該ソレノイドのプランジャー２３Ａの先端に取り付けられたペーパー切断カッター２４と、ペーパー切断カッター２４と組み合わせて設けられるカッター受け台２５とを有する。カッター受け台２５には、カッターの刃を受ける受け刃溝２６が形成されている。なお、ペーパー切断カッター２４と、カッター受け台２５とを前後方向において入れ替えて設置してもよい。
【００５３】
ペーパー案内路１８に対してこれを横断するように窓枠２７が設置されている（図１６参照）、当該窓枠２７に対してペーパー切断カッター２４とカッター受け台２５とは、対向するように取り付けられている。さらにペーパー案内路１８の先端は、ペーパー受け皿４と連結されている。
【００５４】
ペーパーカット用ソレノイド２３のプランジャー２３Ａが延びると、ペーパー切断カッター２４がカッター受け台２５に当接し、プランジャー２３Ａが後退するとペーパー切断カッター２４はカッター受け台２５から離れる。
【００５５】
ペーパー切断カッター２４がカッター受け台２５から離れた状態で使用ロールペーパーＴｕの使用ペーパーがペーパー切断カッター２４とカッター受け台２５との間に入り込み、その状態からペーパー切断カッター２４をカッター受け台２５に対して進行させると使用ペーパーはペーパー切断カッター２４と受け刃溝２６とによって押圧されて切断される（図２５参照）。よって、ペーパー切断カッター２４と受け刃溝２６を含むカッター受け台２５とを切断手段ということができる。
【００５６】
芯収納ボックス９は、上方に開口されて当該開口経由で使用済みの芯８を受ける箱体である。また、芯収納ボックス９の手前側には、ペーパー絡み防止用ファン１５のファン本体１５Ａが対面するように設置されている。さらに、芯収納ボックス９の後面（向こう側に位置する面）には、使用ロールペーパーＴｕの先端を剥がすためのスクレーパ２８（掻器）が形成されている（図５、６，７等参照）。
【００５７】
図５、６，１６等に示すようにスクレーパ２８は、使用ロールペーパーＴｕがセッティングされた状態で、その外周面に下方から当接するように芯収納ボックス９の後方外側に向けて湾曲されている。
【００５８】
加えて、芯収納ボックス９と覆面カバー体５とで画成される空間部には、制御装置２０が配置されている（図１参照）。
覆面カバー体５の下部曲面箇所には、使用ロールペーパー回転用モータ１３を駆動するトリガーとなるノータッチ操作用センサー２９が取り付けられている（図１、２、５参照）。
【００５９】
そして前記制御装置２０は、予備ロールペーパー繰出し用ソレノイド１０、使用ロール
ペーパー固定用ソレノイド１４の各プランジャーの進退制御、各ソレノイド１０，１４、２３、使用ロールペーパー回転用モータ１３、ペーパー絡み防止用ファン１５、ノータッチ操作用センサー２９を稼働制御する制御手段である（図２８参照）。
【００６０】
ペーパー受け皿４は、その付け根側を基端にしてベース板２に固定され、先端側が自由な片持ち梁状をしている。そしてペーパー受け皿４の先端に向けて使用ロールペーパーＴｕから使用ペーパーが繰り出される。
【００６１】
またペーパー受け皿４の基端４Ａの直近箇所には、横断面で波形をした突条３０が、ホルダー本体３の幅方向（左右方向）に延在されている。突条３０は、その横断面で、波頭にあたる箇所３０Ａが丸く、波頭の湾曲の外側（背中）の部分３０Ｂが内側に湾曲し、波頭の湾曲の内側の部分３０Ｃも内側に湾曲した形状をしている。
【００６２】
そして、外側（背中）の部分３０Ｂの曲率半径が内側の部分３０Ｃの曲率半径よりも大きくなっている。さらに、ペーパー受け皿４は、その自由端が内側に折り返されており、使用ペーパーの進行を阻止する（図２６参照）。
【００６３】
換言すると、ペーパー受け皿４は、前方にある自由端と、基端側（後方）にある突条３０とにより、繰り出されるトイレットペーパーの前方への進行を阻止すると共に後方への進行も阻止する。
【００６４】
次にこのようなトイレットペーパーホルダー１の動作について説明する。
最初に使用ペーパーの繰り出し手順について説明する（図２９参照）。
制御装置２０は、トイレ使用者によりノータッチ操作用センサー２９に手がかざされたか否かを判断する（Ｓ１）。肯定反転すればＳ２に進み、否定判定すれば肯定判定するまでこのルーチンを繰り返す。
【００６５】
次に制御装置２０は、使用ロールペーパー回転用モータ１３を回転する。その回転力が当て板２１経由で使用ロールペーパーＴｕの端面に伝わり、使用ロールペーパーＴｕを回転する（Ｓ２）。使用ロールペーパーＴｕの回転により、使用ロールペーパーＴｕは繰り出される。
【００６６】
繰り出しにあたっての使用ロールペーパー回転用モータ１３の回転数は、既述のように使用ロールペーパーＴｕの現在の使用程度によって異なる。使用ロールペーパーＴｕが多用されている状態（残りわずかな状態）にある場合は、使用ロールペーパーＴｕの直径が小さいため前記回転数は多くなり、使用の程度が少なく使用ロールペーパーＴｕの直径が大きい場合、回転数は少ない。
【００６７】
このようにすることで、使用ロールペーパーＴｕの繰り出し量をほぼ一定にすることができる。すなわち、使用ロールペーパー回転用モータ１３の回転数を使用ロールペーパーＴｕの直径の大きさに合わせて、小、中及び大のように段階的に変化させる。
【００６８】
制御装置２０は、使用ロールペーパー回転用モータ１３が段階に応じた所定回転をしたか否かを判定する（Ｓ３）。肯定判定したら、使用ロールペーパー回転用モータ１３の駆動を停止する（Ｓ４）。否定判定した場合は、Ｓ３で肯定判定するまで使用ロールペーパー回転用モータ１３を駆動する。
【００６９】
使用ロールペーパー回転用モータ１３が段階に応じた所定回転をすると、後で述べるようにペーパー受け皿４に使用ペーパーが幾重かに折り重ねられて手頃な厚みになるまで繰り出される（すなわち使用ペーパーの繰り出し量が所定量に達する）。制御装置２０は、
使用ロールペーパー回転用モータ１３を停止したら、次にペーパーカット用ソレノイド２３を作動してそのプランジャー２３Ａを突出させ、プランジャー先端に取り付けられたペーパー切断カッター２４をカッター受け台２５に向けて進行させる（Ｓ５）。この結果、ペーパーがカットされる。
【００７０】
また、使用ロールペーパー回転用モータ１３とペーパー絡み防止用ファン１５とは連動しており、使用ロールペーパー回転用モータ１３が駆動している間は、ペーパー絡み防止用ファン１５も作動する。そして、そのときに生じる風が、ペーパー案内路１８に送られ、トイレットペーパーの繰り出しに影響する。ペーパー絡み防止用ファン１５は、ペーパー案内路１８に空気の流通を生じさせる空気流通手段である。
【００７１】
次に図１６〜図２６を参照して、ペーパー受け皿４に使用ペーパーが幾重かに折り重ねられて手頃な厚みになるまでの経緯を未使用の使用ロールペーパーＴｕが適用される場合について述べる。
【００７２】
使用ロールペーパー回転用モータ１３を駆動し、使用ロールペーパーＴｕを回転させ、スクレーパ２８でトイレットペーパーの先端を掻いて当該先端をトイレットペーパー本体から剥離する。図１６は、スクレーパ２８と使用ロールペーパーＴｕの先端とが当接している状態を示す。
【００７３】
なお、スクレーパ２８と使用ロールペーパーＴｕの先端との位置関係で、使用ロールペーパーＴｕの先端が、使用ロールペーパーＴｕの回転方向においてスクレーパ２８を越えた箇所にあるときは、スクレーパ２８に対し使用ロールペーパーＴｕの先端が当接するまで最大１回転、使用ロールペーパーＴｕを回転させる。
【００７４】
また、使用ロールペーパー回転用モータ１３が回転すると、その回転と同時にペーパー絡み防止用ファン１５が作動する。ペーパー絡み防止用ファン１５が作動すると当該ファンによって送風が生じる（図１７の白矢印参照）。なお図１７はペーパーの先端部分にスクレーパ２８が掛かった図１６に連続する図であり、ペーパーがペーパー絡み防止用ファン１５の送風によって繰り出される初期段階を示す。
【００７５】
なお、使用ペーパーの繰り出しは、自重によるところが大きいが、送風によっても繰り出される。但し、送風の使用ペーパーに及ぼす影響は、送風によって使用ペーパーがペーパー案内路１８に引っ掛かることなく円滑に流通することが主である。
【００７６】
使用ペーパーがさらに繰り出され、ペーパー切断カッター２４に至る直前に至る（図１８参照）。
さらに使用ペーパーが繰り出され、ペーパー切断カッター２４を通過し、ペーパー受け皿４に使用ペーパーが送り出される手前の状態になる（図１９参照）。
【００７７】
さらにまた使用ペーパーの送り出しが進行し、ペーパー受け皿４に使用ペーパーが送り出された後、使用ペーパーの先端がペーパー受け皿４の先端に接触する（図２０参照）。
そして、ペーパー受け皿４に使用ペーパーが送り出された後、ペーパー受け皿４上で使用ペーパーが折り畳まれる直前の状態になる（図２１参照）。
【００７８】
加えて、使用ペーパーが、ペーパー受け皿４上で折り畳まれる初期状態に至る（図２２参照）。
さらに使用ペーパーの送り出しが進行し、使用ペーパーが、ペーパー受け皿４上で折り畳まれる中途状態になった後（図２３参照）、使用ペーパーが、ペーパー受け皿４上で一回折り畳まれ、その後上記の経路を経て折り返しを繰り返す（図２４参照）。
【００７９】
換言すると、繰り出されるトイレットペーパーの前方への進行が阻止されると共に後方への進行も阻止され、少なくとも後方にてトイレットペーパーに弛みを形成するようになる。弛みは、突条３０の部分３０Ｃが内側に湾曲した形状をしているので、ペーパー受け皿４の自由端側から部分３０Ｃに向けて折り返して来たペーパーに丸みを与え、その結果弛みが形成されるのである。よって、部分３０Ｃ部を有する突条３０を弛み形成部ということができる。
【００８０】
そして、所定回数の折り返しを終了後、使用ロールペーパー回転用モータ１３がその駆動を停止し、使用ロールペーパーＴｕの繰り出しが終了する。その後は、ペーパーカット用ソレノイド２３が作動し、当該ソレノイドのプランジャー２３Ａの先端に取り付けられたペーパー切断カッター２４により、ペーパーが切断される（図２５参照）。所定回数の折り返しを終了したか否かは、使用ロールペーパー回転用モータ１３が制御装置２０によって、既述のごとく使用ロールペーパーＴｕの使用量（直径の大小）に応じた回転数に達したか否かで実行される。
【００８１】
次にこのような構成のトイレットペーパーホルダー１の効果について説明する。
使用ロールペーパー回転用モータ１３によりトイレットペーパーが回転するにあたり、繰り出されるトイレットペーパーの先端が自由であったとすれば、巻回されている使用ペーパーはほどけ易くなる。そして、ペーパー案内路１８に案内された使用ペーパーは、ペーパー案内路１８に風を通すペーパー絡み防止用ファン１５によって生じる送風により、ペーパー排出口であるペーパー受け皿４に向けて移送され易くなる。よって、ペーパー絡み防止用ファン１５は送風手段といえる。
【００８２】
これらの制御は制御装置２０によって実行される。したがって、トイレ使用者は、トイレットペーパーを引き出すのに全くトイレットペーパーホルダー１に触れることがない。従って、衛生的である。
【００８３】
また、覆面カバー体５が金属製であると、たばこやライターの火によって火を付けられても、覆面カバー体５に引火したり、覆面カバー体５が焦げたりする心配がない。さらに覆面カバー体５が施錠されるようになっているので、トイレットペーパーの盗難防止に役立つ。また、覆面カバー体５により、水などが掛かってもトイレットペーパーが使用不可能な状態になることもない。よって、悪戯により、利用者や施設管理者に迷惑が及ぶこともない。
【００８４】
本発明は上記トイレットペーパーホルダー１に使用されるトイレットペーパーでもある。その特徴は、繰り出されるトイレットペーパーＴの先端Ｔｔが、折り返されているか又は反らされていることにある（図２７参照）。
【００８５】
さらに、トイレットペーパーのうち芯に近い巻回部分は、その形態が少しばかり捩れたり歪んだりしている場合がある。当該部分は使用に不快感を与える場合がありえるので、トイレットペーパーを全部繰り出さない状態で廃棄することが考えられる。その場合、制御装置２０によって自動制御される使用ロールペーパー回転用モータ１３の回転数をトイレットペーパーが全部繰り出される場合に比して少なくするとよい。
【００８６】
なお、本実施例では芯ありのトイレットペーパーを保持する場合ついて述べたが、芯なしのトイレットペーパーにも適用することができる。
また、帯状のペーパーを巻回したロールペーパー体としてトイレットペーパーを例示したが、キッチンペーパタオルその他のロールペーパー体にも適用できるのは勿論である。
【００８７】
さらに、空気流通手段としてペーパー案内路１８にその上流側から空気を送り出すペーパー絡み防止用ファン１５を挙げたが、ペーパー案内路１８の下流側で空気を吸引する吸引手段でも代用できる。
加えて、ペーパーの折り畳みのトリガーとしては、使用ロールペーパー回転用モータの回転数でも、トイレットペーパーの所定量を繰り出すのに要する時間を用いてもよい。
【００８８】
そして、便座に着座している時間の多寡に応じて、ペーパーの繰り出される所定量を変更することも考えられる。例えば、着座してから３分以上ノータッチ操作用センサー２９が感知しない場合は、着座時間が長いので、その場合は、用足しが大便であったと判断し、ペーパーの繰り出し量を増やす。反対に着座してから３分に満たない状態でノータッチ操作用センサー２９が感知したら着座時間が相対的に短いので、その場合は、用足しが小便であったと判断し、ペーパーの繰り出し量を減らすようにしてもよい。
【符号の説明】
【００８９】
１ トイレットペーパーホルダー（ペーパーホルダー）
２ ベース板
３ トイレットペーパーホルダー本体
４ ペーパー受け皿
４Ａ 基端
５ 覆面カバー体
７ 本体カバー
８ トイレットペーパーの芯
９ 芯収納ボックス
１０ 予備ロールペーパー繰出し用ソレノイド
１１Ｌ 左側壁
１１Ｒ 右側壁
１２ 繰出し用プランジャー
１３ 使用ロールペーパー回転用モータ（回転手段、ロールペーパー体回転のための駆動部）
１４ 使用ロールペーパー固定用ソレノイド
１４Ａ 固定用プランジャー（抜き差し部）
１５ ペーパー絡み防止用ファン（空気流通手段）
１５Ａ ファン本体
１６ 吹き出し口
１７ ストッパー用ローラ
１８ ペーパー案内路
２０ 制御装置（制御手段）
２１ 当て板（抜き差し部）
２２ 架台
２３ ペーパーカット用ソレノイド
２３Ａ プランジャー
２４ ペーパー切断カッター（切断手段）
２５ カッター受け台（切断手段）
２６ 受け刃溝
２７ 窓枠
２８ スクレーパ
２９ ノータッチ操作用センサー
３０ 突条
３０Ａ 突条の所定箇所
３０Ｂ 突条の所定部分
３０Ｃ 突条の所定部分
Ｉ 予備ロールペーパー収納域
ＩＩ 使用ロールペーパー収納域
Ｔｓ 予備ロールペーパー（ロールペーパー体）
Ｔｕ 使用ロールペーパー（ロールペーパー体）
Ｔ トイレットペーパー（ロールペーパー体）
Ｔｔ  トイレットペーパーの先端
【図１】
0005597413.tif 000002
【図２】
0005597413.tif 000003
【図３】
0005597413.tif 000004
【図４】
0005597413.tif 000005
【図５】
0005597413.tif 000006
【図６】
0005597413.tif 000007
【図７】
0005597413.tif 000008
【図８】
0005597413.tif 000009
【図９】
0005597413.tif 000010
【図１０】
0005597413.tif 000011
【図１１】
0005597413.tif 000012
【図１２】
0005597413.tif 000013
【図１３】
0005597413.tif 000014
【図１４】
0005597413.tif 000015
【図１５】
0005597413.tif 000016
【図１６】
0005597413.tif 000017
【図１７】
0005597413.tif 000018
【図１８】
0005597413.tif 000019
【図１９】
0005597413.tif 000020
【図２０】
0005597413.tif 000021
【図２１】
0005597413.tif 000022
【図２２】
0005597413.tif 000023
【図２３】
0005597413.tif 000024
【図２４】
0005597413.tif 000025
【図２５】
0005597413.tif 000026
【図２６】
0005597413.tif 000027
【図２７】
0005597413.tif 000028
【図２８】
0005597413.tif 000029
【図２９】
0005597413.tif 000030